(57)【要約】【課題】継続時間が異なる複数種類の大当たり状態が発生可能な遊技機、特には各大当たり状態の発生をそれぞれ示す信号が出力されない形態の遊技機が管理対象であった場合でも、各大当たり状態に係る稼動データを個別に集計可能にすること。【解決手段】管理対象のパチンコ遊技機１は、大当たり動作の継続ラウンド数が異なる複数種類の大当たり状態が発生可能になっており、大当たり状態にある期間に大当たり信号を出力する。管理コンピュータ１６は、大当たり状態の種類と当該大当たり状態の継続時間との関係を示す対比用データを保持しており、パチンコ遊技機１で発生した大当たり状態の実際の継続時間を示す継続時間データを当該パチンコ遊技機１からの大当たり信号に基づいて取得し、その継続時間データを対比用データと照合することにより、発生した大当たり状態の種類を判定する。【選択図】図１
2008161722.tif 000002
【特許請求の範囲】
【請求項１】
継続時間が異なる複数種類の大当たり状態が発生可能な遊技機についての各大当たり状態に係る稼動データを遊技機別に区分して集計管理する遊技場用データ管理システムにおいて、
前記大当たり状態の種類と当該大当たり状態の継続時間との関係を示す対比用データが登録されるデータ登録手段と、
前記遊技機で発生した大当たり状態の実際の継続時間を示す継続時間データを取得する継続時間管理手段と、
前記遊技機で発生した大当たり状態の終了後に、前記継続時間管理手段が取得した継続時間データを前記データ登録手段中の対比用データと照合することにより、当該大当たり状態の種類を判定する判定手段と、
を備えたことを特徴とする遊技場用データ管理システム。
【請求項２】
前記遊技機は、前記大当たり状態の発生に応じて大当たり信号を出力するように構成され、
前記継続時間管理手段は、前記遊技機から出力される前記大当たり信号に基づいて前記継続時間データを取得するように構成されていることを特徴とする請求項１記載の遊技場用データ管理システム。
【発明の詳細な説明】
【技術分野】
【０００１】
本発明は、継続時間が異なる複数種類の大当たり状態が発生可能な遊技機についての各大当たり状態に係る稼動データを遊技機別に区分して集計管理するための遊技場用データ管理システムに関する。
【背景技術】
【０００２】
パチンコ遊技機においては、複数の通常入賞口、始動入賞口及び常時は閉鎖された状態の大入賞口を設けると共に、始動入賞口へのパチンコ玉の入賞に応じて行われる抽選動作の結果を表示する表示装置を設け、表示された抽選動作結果が大当たりであったときに大当たり動作（大入賞口の開放動作）を所定ラウンド数だけ継続させることにより入賞率を通常時より大幅に高めた大当たり状態（特賞状態とも呼ばれる）を呈する構成のもの（第１種パチンコ遊技機：所謂セブン機）が広く普及している。
【０００３】
従来では、この種のパチンコ遊技機のためのデータ管理システムとして、パチンコ遊技機が大当たり状態になったか否かを判定する遊技状態判定手段と、この遊技状態判定手段の判定結果に基づきパチンコ遊技機が大当たり状態にある期間中におけるセーフ玉数（賞球として払い出されたパチンコ玉数）、アウト玉数（打ち込みパチンコ玉数）などの稼動データを当該大当たり状態期間毎の履歴データ（大当たり履歴データ）として順次集計するデータ集計手段と、このデータ集計手段の集計結果を出力する出力手段とを備えたものが提供されている（例えば特許文献１参照）。また、従来では、特許文献２に見られるように、パチンコ遊技機で大当たり状態が発生したときに、大入賞口の開放状態が何回繰り返して継続されたかを示す回数データを集計して出力できるようにした管理装置も提供されている。
【特許文献１】特開平８−９８９４４号公報
【特許文献２】特開平６−７１０３７号公報
【発明の開示】
【発明が解決しようとする課題】
【０００４】
パチンコ遊技機の遊技形態は年々変化しており、例えば、前述した第１種パチンコ遊技機において、大当たり状態が発生する毎に、大当たり動作（大入賞口の開放動作）の継続ラウンド数についての抽選を行い、その抽選結果に応じて大当たり状態発生時の継続ラウンド数を異ならせる構成、つまり、継続時間ひいては１回当たりの払い出しパチンコ玉数が異なる複数種類の大当たり状態が発生可能な構成を採用したものが考えられている。特に、風営法が本年（２００４年）１月に改正され７月から施行される予定であるが、その法改正により従来の第１種、第２種といった遊技機種別が撤廃されるため、上記のような構成とされたパチンコ遊技機の他にも、継続時間（１回当たりの払い出し玉数）が異なる２種類以上の大当たり状態が発生可能なパチンコ遊技機は、様々なものが出現すると考えられている。
【０００５】
ところが、従来の遊技場用データ管理システムでは、継続時間が異なる複数種類の大当たり状態が発生可能なパチンコ遊技機についての稼動データをその種類毎に区分して集計管理することについて考慮されていないため、遊技機全体の稼動データを把握することは可能であるが、各大当たり状態に係る個別の稼動データを個別に把握することが困難になるという事情がある。特に、２種類以上の大当たり状態が設定されているにも関わらず、大当たり状態にあることを示す大当たり信号が１種類しか出力されないパチンコ遊技機も実際に存在するため、このようなパチンコ遊技機については、発生した大当たり状態の種類を判定することが全く不可能になる。つまり、この種のパチンコ遊技機が管理対象であった場合、従来システムでは、発生した大当たり状態の種類毎に区分した状態の稼動データを集計することが不可能になって、当該稼動データにより得られる各大当たり状態の遊技特性を個別に把握することが困難になるため、例えば、パチンコ遊技機に対する釘調整を的確に行うことが不可能になるなどの問題点が出てくる。
【０００６】
本発明は上記事情に鑑みてなされたものであり、その目的は、継続時間が異なる複数種類の大当たり状態が発生可能な遊技機、特には各大当たり状態の発生をそれぞれ示す信号が出力されない形態の遊技機が管理対象であった場合でも、各大当たり状態に係る稼動データを個別に集計可能となる遊技場用データ管理システムを提供することにある。
【課題を解決するための手段】
【０００７】
請求項１記載の発明は、上記目的を達成するために、継続時間が異なる複数種類の大当たり状態が発生可能な遊技機についての各大当たり状態に係る稼動データを遊技機別に区分して集計管理する遊技場用データ管理システムにおいて、
前記大当たり状態の種類と当該大当たり状態の継続時間との関係を示す対比用データが登録されるデータ登録手段と、前記遊技機で発生した大当たり状態の実際の継続時間を示す継続時間データを取得する継続時間管理手段と、前記遊技機で発生した大当たり状態の終了後に、前記継続時間管理手段が取得した継続時間データを前記データ登録手段中の対比用データと照合することにより、当該大当たり状態の種類を判定する判定手段を備えた構成としたものである。
【０００８】
請求項２記載の発明は、前記遊技機が、前記大当たり状態の発生に応じて大当たり信号を出力するように構成されたものであった場合に、前記継続時間管理手段を、前記遊技機から出力される前記大当たり信号に基づいて前記継続時間データを取得する構成としたものである。
【発明の効果】
【０００９】
請求項１記載の発明によれば、遊技機において大当たり状態が発生したときには、継続時間管理手段が、当該大当たり状態の実際の継続時間を示す継続時間データを取得するようになる。遊技機で発生した大当たり状態が終了したときには、判定手段が、継続時間管理手段が取得した継続時間データを、データ登録手段に登録されている対比用データ（大当たり状態の種類と当該大当たり状態の継続時間との関係を示すデータ）と照合することにより、発生した大当たり状態の種類を判定するようになる。従って、遊技機についての稼動データの集計を、上記のような判定結果を利用しながら各大当たり状態に区分して行うことが可能になるものであり、これにより、複数種類の大当たり状態の発生をそれぞれ示す信号が出力されない形態の遊技機が管理対象であった場合でも、各大当たり状態に係る稼動データを個別に集計できるようになる。この結果、上記のように集計された稼動データに基づいて、各大当たり状態の遊技特性を個別に且つ容易に把握できるようになるから、その把握結果に基づいて、例えば遊技機の遊技特性の調整作業（パチンコ遊技機の場合における釘調整作業など）を的確に行うことが可能になる。
【００１０】
請求項２記載の発明によれば、継続時間管理手段による前記継続時間データの取得動作を、遊技機から出力される大当たり信号に基づいてリアルタイムで行い得るようになる。
【発明を実施するための最良の形態】
【００１１】
以下、本発明の一実施例について図面を参照しながら説明する。
図２にはパチンコ遊技機の正面外観が概略的に示されている。この図２において、パチンコ遊技機１は、その上皿２内のパチンコ玉を電動式の玉発射機構（操作ダイヤルのみ符号３を付して示す）により盤面４へ発射する構成となっている。盤面４には、アウト口５及び図示しない通常入賞口の他に、第１スタート入賞口６、第２スタート入賞口７、電動役物８ａ及び９ａをそれぞれ備えた第１大型入賞口８及び第２大型入賞口９、第１スタート入賞口６へのパチンコ玉の入賞が動作開始契機とされた第１図柄表示部１０、第２スタート入賞口７へのパチンコ玉の入賞が動作開始契機とされた第２図柄表示部１１、各図柄表示部１０及び１１に対応した保留玉表示部１０ａ及び１１ａが設けられている。つまり、パチンコ遊技機１は、同一種のパチンコ遊技機を融合した構成（第１種パチンコ遊技機の大当たり機能を２台分備えた形態）となっている。
【００１２】
第１図柄表示部１０は、第１スタート入賞口６へのパチンコ玉の入賞に応じて行われる所定の大当たり確率の第１抽選動作の結果を表示し、第２図柄表示部１１は、第２スタート入賞口７へのパチンコ玉の入賞に応じて行われる所定の大当たり確率の第２抽選動作の結果を表示するためのもので、図２では、それぞれ３桁の数字列より成るルーレットを表示する例が示されている。即ち、第１及び第２図柄表示部１０及び１１は、それぞれに対応した第１及び第２スタート入賞口６及び７への各パチンコ玉の入賞に応じて互いに独立した状態でルーレットの変動表示（本実施例の場合、数字列の各桁の「０」〜「９」の範囲での変動表示）を開始するものであり、上記第１及び第２抽選動作の結果が大当たりであった各場合に、その変動終了時点で数字列が「１１１」、「２２２」、…のようなぞろ目図柄（大当たり図柄）となるように制御される。
【００１３】
この場合、第１図柄表示部１０にぞろ目図柄が表示された状態で第１大当たり条件が成立し、第２図柄表示部１１にぞろ目図柄が表示された状態で第２大当たり条件が成立することになる。そして、第１大当たり条件が成立したときには、第１大型入賞口８の電動役物８ａが予め決められたモードにて所定期間だけ開放され、以て当該入賞口８への入賞率が極端に高められた第１の大当たり状態（以下、これをタイプ１の大当たりと呼ぶ）を呈するものである。また、第２大当たり条件が成立したときには、第２大型入賞口９の電動役物９ａが予め決められたモードにて所定期間だけ開放され、以て当該入賞口９への入賞率が極端に高められた第２の大当たり状態（以下、これをタイプ２の大当たりと呼ぶ）を呈するものである。
【００１４】
本実施例によるパチンコ遊技機１は、上記第１及び第２抽選動作の各大当たり確率が適宜に設定されるものであるが、タイプ１の大当たりとタイプ２の大当たりでは、その継続ラウンド数が互いに異なるように設定される。具体的には、タイプ１の大当たりでの継続ラウンド数は、例えば８ラウンドに設定され、タイプ２の大当たりでの継続ラウンド数は、例えば１６ラウンドに設定される。従って、タイプ１の大当たりとタイプ２の大当たりとでは、その継続時間が互いに異なることになる。
【００１５】
尚、本実施例によるパチンコ遊技機１は、タイプ１の大当たり及びタイプ２の大当たりが同時期に発生した場合でも、それらの大当たりが並行して進行しない構成となっており、双方の大当たりが同時期に発生した場合には、例えば、一方の大当たりに係る動作（電動役物８ａ或いは９ａの所定モードでの開放動作）が終了した後に他方の大当たりに係る動作が開始される構成となっている。
【００１６】
このように構成されたパチンコ遊技機１には、以下に述べるような各信号を外部へ出力する機能が設けられている。
即ち、パチンコ遊技機１は、打ち込みパチンコ玉数を示すアウト玉数信号、並びに賞球として払い出されたパチンコ玉数を示すセーフ玉数信号を出力する構成となっている。また、パチンコ遊技機１は、図柄表示部１０，１１による図柄変動動作の実行（以下、これをスタートと呼ぶ）毎にスタート信号を出力する構成となっている。さらに、パチンコ遊技機１は、大当たり状態が発生した場合に、その大当たり状態にある期間を通じて大当たり信号を継続的に出力する構成となっている。
【００１７】
図１には、本実施例による遊技場用データ管理システムの概略的構成が本発明の要旨に関係した部分のみ示されている。この図１において、遊技場内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述したアウト玉数信号、セーフ玉数信号、スタート信号、大当たり信号などが出力される。
【００１８】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１２から入出力装置１４には、プリペイドカードによる売上を示す売上信号などが出力される。
【００１９】
呼出ランプユニット１３は、複数の表示ランプ１３ａ、例えば液晶パネルより成るデータ表示部１３ｂ、呼出ボタン１３ｃなどを備えた周知構成のもので、呼出ボタン１３ｃの操作に応じた呼び出し状態の表示機能、対応するパチンコ遊技機１で発生した大当たり状態などを表示する機能、パチンコ遊技機１での稼動データに基づいて作成した遊技客向けデータ（大当たり状態の発生回数など）を表示する機能、パチンコ遊技機１及び台間玉貸機１２のためのデータ入出力インタフェースの機能などを備えている。
【００２０】
入出力装置１４は、店内ＬＡＮ１５に接続されており、この店内ＬＡＮ１５には、遊技場の管理事務所内に設置された管理コンピュータ１６（データ登録手段、継続時間管理手段、判定手段に相当）が接続されている。また、図示しないが、店内ＬＡＮ１５には、景品交換カウンタに設置されたＰＯＳ端末及び島端に設置されたパチンコ玉計数機なども接続される。
【００２１】
管理コンピュータ１６は、パチンコ遊技機１及び台間玉貸機１２から出力される種々の信号（アウト玉数信号、セーフ玉数信号、スタート信号、大当たり信号、売上信号など）に基づいて、パチンコ遊技機１についての稼動データ（アウト玉数、セーフ玉数、差玉数、稼動率、出玉率、ベース、図柄表示部１０，１１のスタート回数、並びに台間玉貸機１２についての貸出高データ（売上金額、割数など）を集計して格納するという周知のデータ集計機能を備えた構成となっている。
【００２２】
また、管理コンピュータ１６は、上記のようなデータ集計機能の他に、本発明の要旨に関係した大当たり状態の種類判定機能を備えており、以下においては、その機能について図３及び図４も参照しながら説明する。
図３には、管理コンピュータ１６に予め登録される対比用データの一例が示されている。この対比用データは、パチンコ遊技機１で発生した大当たりの種類（タイプ１またはタイプ２）の判定に供されるもので、当該大当たりの種類と、各大当たりに設定された平均的な継続時間を示す大当たり時間とを対応付けた状態で予め登録されるものである。管理コンピュータ１６は、パチンコ遊技機１からの大当たり信号に基づいて、当該パチンコ遊技機１での大当たり状態の開始時刻及び終了時刻、並びにその大当たり状態の実際の継続時間を判定し、それら開始時刻、終了時刻及び継続時間の各データを取得する。また、管理コンピュータ１６は、大当たり状態の終了時点で取得した継続時間データを図３の対比用データと照合することにより、大当たりがタイプ１であるかタイプ２であるかを判定する。
【００２３】
管理コンピュータ１６は、パチンコ遊技機１からの大当たり信号に基づいて、当該パチンコ遊技機１での大当たり状態の開始時刻及び終了時刻、並びにその大当たり状態の実際の継続時間を判定し、それら開始時刻、終了時刻及び継続時間の各データを取得する。また、管理コンピュータ１６は、大当たり状態の終了時点で取得した継続時間データを図３の対比用データと照合することにより、当該大当たり状態の種類、つまり継続ラウンド数を判定する。具体的には、継続時間データが例えば２１０秒であった場合には継続ラウンド数が「１０」と判断され、継続時間データが例えば３０８秒であった場合には継続ラウンド数が「１５」と判断されることになる。
【００２４】
管理コンピュータ１６は、パチンコ遊技機１での大当たり状態の発生に応じて当該大当たり状態の種類を上述のように判定すると共に、各パチンコ遊技機１についての稼動データの集計を、上記判定結果を利用しながら各大当たり状態に区分して行うように構成される。例えば、管理コンピュータ１６は、パチンコ遊技機１で大当たり状態が発生する毎に、図４に示すような大当たり履歴データをパチンコ遊技機１毎に集計してデータベースに格納する構成となっている。
【００２５】
即ち、大当たり履歴データは、パチンコ遊技機１の台番号と対応付けて集計されるものであり、図４の例では、大当たり状態の発生順を示す通し番号（「１」、「２」、……）と対応付けた状態で、大当たり状態の開始時刻、終了時刻、継続時間、その継続時間に基づいて判定した継続ラウンド数（大当たり状態の種類に相当）、大当たり間アウト玉数、大当たり間スタート回数、大当たり中差玉数を記録した形態となっている。尚、この図４の大当たり履歴データは、パチンコ遊技機１についての稼動データのうちの一部のみを集計する例を示したが、この他にも、大当たり間差玉数、大当たり中アウト玉数、大当たり中セーフ玉数などの稼動データの集計結果を当該履歴データに含ませる構成としても良いことは勿論である。
【００２６】
要するに、上記した本実施例の構成によれば、管理コンピュータ１６は、パチンコ遊技機１において大当たり状態が発生したときには、当該大当たり状態の継続ラウンド数に応じて変化することになる実際の継続時間を示す継続時間データをパチンコ遊技機１からの大当たり信号に基づいてリアルタイムで取得するようになり、その大当たり状態が終了したときには、取得した継続時間データを、大当たり状態の種類（継続ラウンド数）と当該大当たり状態の継続時間との関係を示すデータを示す図３のような対比用データと照合することにより、発生した大当たり状態の種類を判定するようになる。
【００２７】
従って、管理コンピュータ１６にあっては、管理対象のパチンコ遊技機１が、複数種類の大当たり状態の発生をそれぞれ示す信号が出力されない形態のものであった場合でも、各大当たり状態に係る稼動データを個別に集計できるようになり、例えば、パチンコ遊技機１についての稼動データの集計を、上記のような判定結果を利用しながら各大当たり状態に区分して行って、図４のような大当たり履歴データを作成できる。従って、上記のような大当たり履歴データに基づいて、各大当たり状態の遊技特性を個別に且つ容易に把握できるようになるから、その把握結果に基づいて、例えばパチンコ遊技機１の遊技特性の調整作業（釘調整作業など）を的確に行うことが可能になる。
尚、本実施例では、上記継続時間データが対比用データ中の大当たり時間に該当しない場合には、これを異常状態として検知することになる。
【００２８】
（その他の実施の形態）
その他、本発明は上記し且つ図面に示した実施例に限定されるものではなく、例えば以下に述べるような変形或いは拡大が可能である。
上記実施例では、パチンコ遊技機１での大当たり状態継続時間を、当該パチンコ遊技機１から出力される大当たり信号に基づいて取得する構成としたが、管理コンピュータ１６により集計される差玉数或いはセーフ玉数の単位時間当たりの増加量が予め設定されたしきい値以上あるか否かに基づいて上記大当たり継続時間を取得する構成としても良い。この構成によれば、複数の大当たり状態に区分した状態での稼動データの集計動作のために大当たり信号が不要になるから、稼動データの集計動作を、管理対象のパチンコ遊技機１の仕様と無関係に行い得るようになり、システムとしての汎用性が高くなる。
【００２９】
また、第１スタート入賞口６及び第２スタート入賞口７を個別に設ける構成としたが、これらを一つのスタート入賞口により兼用する構成としても良い。この場合には、例えば、兼用スタート入賞口へのパチンコ玉の入賞タイミングや予め決められた順番などにより第１図柄表示部１０及び第２図柄表示部１１の何れを動作開始させるか（第１抽選動作及び第２抽選動作のいずれを行うか）を選択する手段を設けたり、或いは兼用スタート入賞口へのパチンコ玉の入賞に応じて動作する補助役物により各図柄表示部１０及び１１の何れを動作開始させるか選択する手段を設ける構成などが考えられる。
【００３０】
また、第１種パチンコ遊技機を管理対象とする例で説明したが、これに限られるものでなく、継続時間が異なる複数種類の大当たり状態が発生するように構成された第２種パチンコ遊技機を管理対象としても良いなど、要は、継続時間が異なる複数種類の大当たり状態が発生するパチンコ遊技機全般を管理対象とできるものである。
本発明のシステムによる管理対象の遊技機をスロットマシンとすることも可能である。
【図面の簡単な説明】
【００３１】
【図１】本発明の一実施例を示すシステム全体の概略的構成図
【図２】パチンコ遊技機の概略的な正面図
【図３】対比用データの一例を示す図
【図４】大当たり履歴データの出力例を示す図
【符号の説明】
【００３２】
１はパチンコ遊技機、６は第１スタート入賞口、７は第２スタート入賞口、８は第１大型入賞口、９は第２大型入賞口、１０は第１図柄表示部、１１は第２図柄表示部、１３は呼出ランプユニット、１６は管理コンピュータ（データ登録手段、継続時間管理手段、判定手段）を示す。
【図１】
2008161722.tif 000003
【図２】
2008161722.tif 000004
【図３】
2008161722.tif 000005
【図４】
2008161722.tif 000006